(57)【要約】【課題】歩数計のコストの増大や大型化を避けて、歩数計のカウントする歩数に基づく高度な情報や興趣性の高い種々情報を入手できるように、通信機器を介して歩数計のカウントする歩数等を送信可能とする歩数計数システム及び歩数計を提供すること。【解決手段】歩数計は、日時を示す時計手段と、検出手段で検出されカウントされる歩数を所定の時間単位毎に記憶する記憶手段と、接続された通信機器を用いて、メール作成時に前記時計手段が示す日時とその日時迄の前記所定の時間単位毎の歩数とを付してデータ登録メールを作成し、前記通信機器を用いて前記データ登録メールを前記サーバーに送信する通知手段と、を含み、前記サーバーは、前記データ登録メールに付された前記メール作成時の日時を基準として遡及して、前記カウントされた歩数と前記算出した日時を対応付けて集計する集計手段を含む。【選択図】      図５
2004226076.tif 000002
【特許請求の範囲】
【請求項１】
サーバーと、メールの作成が可能で、前記サーバーとネットワークを介してメールの送受信を行う通信機器と、人体の歩行又は走行に伴う体動を検出する検出手段を有し前記歩行又は走行の歩数をカウントする歩数計と、を含んで構成される歩数計数システムであって、
前記歩数計は、
日時を示す時計手段と、
前記検出手段で検出されカウントされる歩数を所定の時間単位毎に記憶する記憶手段と、
接続された前記通信機器を用いて、メール作成時に前記時計手段が示す日時とその日時迄の前記所定の時間単位毎の歩数とを付してデータ登録メールを作成し、前記通信機器を用いて前記データ登録メールを前記サーバーに送信する通知手段と、を含み、
前記サーバーは、
前記データ登録メールに付された前記メール作成時の日時を基準として遡及して、前記カウントされた歩数と前記算出した日時を対応付けて集計する集計手段を含むことを特徴とする歩数計数システム。
【請求項２】
前記通知手段は、所定のフォーマットで前記データ登録メールを送信し、
前記集計手段は、前記所定のフォーマットに従って集計する請求項１に記載の歩数計数システム。
【請求項３】
前記歩数計は、
前記サーバーのメールアドレスを格納する格納手段を更に含み、
前記通知手段は、前記メールアドレスを前記データ登録メールに更に付して作成する請求項１または請求項２に記載の歩数計数システム。
【請求項４】
外部から入力される情報をネットワークへ伝送可能な外部キー入力機能を有する通信機器に接続され、人体の歩行又は走行に伴う体動を検出する検出手段を有し前記歩行又は走行の歩数をカウントする歩数計であって、
日時を示す時計手段と、
前記検出手段で検出されカウントされる歩数を所定の時間単位毎に記憶する記憶手段と、
前記通信機器の外部キー入力機能を用いて、メール作成時に前記時計手段が示す日時とその日時迄の前記所定の時間単位毎の歩数とを付してデータ登録メールを作成し、前記データ登録メールを送信する通知手段と、を備えたことを特徴とする歩数計。
【請求項５】
外部から入力される情報をネットワークへ伝送可能な外部キー入力機能を有する通信機器に接続され、人体の歩行又は走行に伴う体動を検出する検出手段を有し前記歩行又は走行の歩数をカウントする歩数計であって、
日時を示す時計手段と、
前記検出手段で検出されカウントされる歩数を所定の時間単位毎に記憶する記憶手段と、
前記通信機器の外部キー入力機能を用いて、前記所定の時間単位毎の歩数と前記時計手段の示す日時に基づき前記所定の時間単位毎の歩数毎に対応付けた日時とを付したデータ登録メールを作成し、前記データ登録メールを送信する通知手段と、を備えたことを特徴とする歩数計。
【請求項６】
前記データ登録メールの送信先のメールアドレスを格納する格納手段を更に含み、
前記通知手段は、前記メールアドレスを前記データ登録メールに更に付して作成する請求項４または請求項５に記載の歩数計。
【発明の詳細な説明】
【０００１】
【発明の属する技術分野】
本発明は、少なくとも人体の歩行又は走行に伴う体動を検出し前記歩行又は走行の歩数をカウントする歩数計とその歩数計に接続してネットワークを介してデータの送受信を行なう通信機器を含んで構成される歩数計数システム及びその歩数計に関する。
【０００２】
【従来の技術】
近年、健康に対する関心は高く、日々の健康管理のために多くの人が歩数計を使用している。歩数計はカウントした歩数を表示するためのもので、使用者がその歩数を確認し日常の適正な運動を確保して健康増進を図るためのものである。
【０００３】
しかし、カウントした歩数の表示だけでは、面白さに欠け飽きてしまうことから、従来の歩数計の中には、歩数と予め設定した歩幅から歩行距離に換算して表示するもの、歩行距離を算出し、予め保存している地図情報と歩行と歩行コースと距離から、仮想的に地図情報上の現在位置を表示するもの及び地図情報上の予め定められた地点に到着した時、その地点の情景や名産をビジュアルに表示するもの等の機能を持たせたものがある（例えば、特許文献１参照。）。これらは使用者の興味を継続させ、歩くことに目的を持たせるためのものである。
【０００４】
【特許文献１】
特開２００１−２９６１３９号公報（段落〔０００９〕−〔００１６〕、第６図）
【０００５】
【発明が解決しようとする課題】
しかしながら、そのような機能を実現するために、歩数計の操作性の充実、表示の充実を図る必要があり、歩数計のコストを増大させるばかりか、大型化するなどの不具合もあった。
【０００６】
また、上述のような表示を行なう機能を有していても、長期間使用すれば、結局面白さが無くなり飽きてしまう。さらに、別な機能を所望するならば買い替えが必要になる。
【０００７】
本発明は、上記事情に鑑みてなされたものであり、歩数計のコストの増大や大型化を避けて、歩数計のカウントする歩数に基づく高度な情報や興趣性の高い種々情報を入手できるように、通信機器を介して歩数計のカウントする歩数等を送信可能とする歩数計数システム及び歩数計を提供することにある。
【０００８】
【課題を解決するための手段】
上記目的を達成するために、請求項１記載の発明は、サーバーと、メールの作成が可能で、前記サーバーとネットワークを介してメールの送受信を行う通信機器と、人体の歩行又は走行に伴う体動を検出する検出手段を有し前記歩行又は走行の歩数をカウントする歩数計と、を含んで構成される歩数計数システムであって、前記歩数計は、日時を示す時計手段と、前記検出手段で検出されカウントされる歩数を所定の時間単位毎に記憶する記憶手段と、接続された前記通信機器を用いて、メール作成時に前記時計手段が示す日時とその日時迄の前記所定の時間単位毎の歩数とを付してデータ登録メールを作成し、前記通信機器を用いて前記データ登録メールを前記サーバーに送信する通知手段と、を含み、前記サーバーは、前記データ登録メールに付された前記メール作成時の日時を基準として遡及して、前記カウントされた歩数と前記算出した日時を対応付けて集計する集計手段を含むことを特徴としている。
【０００９】
また、請求項２記載の発明は、前記通知手段は、所定のフォーマットで前記データ登録メールを送信し、前記集計手段は、前記所定のフォーマットに従って集計することを特徴としている。
【００１０】
また、請求項３記載の発明は、前記歩数計は、前記サーバーのメールアドレスを格納する格納手段を更に含み、前記通知手段は、前記メールアドレスを前記データ登録メールに更に付して作成することを特徴としている。
【００１１】
また、請求項４記載の発明は、外部から入力される情報をネットワークへ伝送可能な外部キー入力機能を有する通信機器に接続され、人体の歩行又は走行に伴う体動を検出する検出手段を有し前記歩行又は走行の歩数をカウントする歩数計であって、日時を示す時計手段と、前記検出手段で検出されカウントされる歩数を所定の時間単位毎に記憶する記憶手段と、前記通信機器の外部キー入力機能を用いて、メール作成時に前記時計手段が示す日時とその日時迄の前記所定の時間単位毎の歩数とを付してデータ登録メールを作成し、前記データ登録メールを送信する通知手段と、を備えたことを特徴としている。
【００１２】
また、請求項５記載の発明は、外部から入力される情報をネットワークへ伝送可能な外部キー入力機能を有する通信機器に接続され、人体の歩行又は走行に伴う体動を検出する検出手段を有し前記歩行又は走行の歩数をカウントする歩数計であって、日時を示す時計手段と、前記検出手段で検出されカウントされる歩数を所定の時間単位毎に記憶する記憶手段と、前記通信機器の外部キー入力機能を用いて、前記所定の時間単位毎の歩数と前記時計手段の示す日時に基づき前記所定の時間単位毎の歩数毎に対応付けた日時とを付したデータ登録メールを作成し、前記データ登録メールを送信する通知手段と、を備えたことを特徴としている。
【００１３】
また、請求項６記載の発明は、前記データ登録メールの送信先のメールアドレスを格納する格納手段を更に含み、前記通知手段は、前記メールアドレスを前記データ登録メールに更に付して作成することを特徴としている。
【００１４】
【発明の実施の形態】
本発明の特徴は、歩数計とネットワークを介してデータの送受信が可能な通信機器としての携帯電話とを接続し、前記携帯電話を用いネットワークを介してサーバーと通信を行ない、歩数計のカウントする歩数に基づいた情報を入手できるようにする点にある。また、歩数と時刻を対応させることでより高度な情報を入手可能とする点にある。
【００１５】
以下、本発明に係る歩数計数システムの実施の形態について、図面を参照しながら詳細に説明する。
【００１６】
（システムの全体構成）
先ず、本発明の歩数計数システムの全体の概略構成について、図１から図３を参照して説明する。図１は当該歩数計数システムの構成図であり、図２は当該歩数計のブロック図、また、図３は当該通信機器としての携帯電話のブロック図である。
【００１７】
図１に示すように、当該歩数計数システムは、携帯電話２と、携帯電話２とケーブル３を介して接続される歩数計１と、ネットワークとしてのインターネットを介して携帯電話２と通信を行なうサーバー４とにより構成される。尚、歩数計１とケーブル３及び携帯電話２とケーブル３は着脱自在に接続される。また、図１ではケーブル３を介して接続するように示しているが、携帯電話２とは直接接続されるようにしても良い。また、言うまでも無くサーバー４は、複数の携帯電話２とネットワークを介して接続が可能である。
【００１８】
また、歩数計１は、図２のブロック図に示すようにＣＰＵ１１、時計手段１２、キー１３、電池１４、接続手段としてのインターフェイス１５、歩行検出センサ１６、歩行カウンタ１７、記憶手段としての歩数メモリ１８及び表示部１９を備えている。
【００１９】
歩行検出センサ１６は、歩行または走行の度にそのときの体動を検出するものであり、例えば体動を検出するための振り子と、振り子の先端にスイッチ機能を持たせたものからなり、一歩毎に信号を発生する。
【００２０】
時計手段は、クロック及びカレンダーを備えていて、予め日時及び時刻がセットされるとクロックの発生するクロック信号及びカレンダーに基づき、年月日、曜日及び時刻を示す。また、日時及び時刻がセットはキー１３を操作することにより設定される。
【００２１】
歩数カウンタ１７は、歩行検出センサ１６が発生する信号を累積しつつカウントする。
【００２２】
歩数メモリ１８は、前記歩数カウンタ１７でカウントされ累積されたカウント値すなわち歩数を、所定の時間単位毎に記憶するようになっている。また、所定の時間単位毎の歩数の他に所定の時間単位毎の歩数の累計である総歩数を記憶する。
【００２３】
表示器１９は、上記所定の時間単位毎の歩数や総歩数をキー１３を押下することにより切り換えて表示を行う。また、歩数計の状態、例えば、歩数カウント中、後述するユーザー登録メール及びデータ登録メールの送信中、各種設定中などの表示を行う。
【００２４】
キー１３は、ＳＥＴキー１３ａ、ＵＰキー１３ｂ、ＤＯＷＮキー１３ｃで構成され、それらを選択的に押下して上記表示の切り換え、日時のセットの他に、歩数カウンタ１７に累積されたカウント値や歩数メモリ１８内の歩数のリセットを行うことや、後述するユーザー登録メール及びデータ登録メールの作成、送信を行うことができる。
【００２５】
インターフェイス１５は、図１に示したケーブル３を介し携帯電話２と接続するためのものである。
【００２６】
ＲＯＭ２０には、少なくとも歩数計の各部の制御を行うためのプログラムや、ユーザー登録メール及びデータ登録メールの作成、送信を行うためのプログラム等が書き込まれている。また、本発明の格納手段として、インターネット上のサーバー４にメールを送信するためのサーバー４のメールアドレスを格納している。また、本歩数計１と接続して使用可能な携帯電話の機種の一覧が記憶されている。
【００２７】
ＣＰＵ１１は、ＲＯＭ２０に書き込まれたプログラムに基づき、他の回路部との間で信号の授受を行い、種々の制御動作を実行し、また、後述の携帯電話２を用いて、ユーザー登録メール及びデータ登録メールの作成、送信を行うための機能を有する。すなわち、本発明の「通知手段」としての機能を有する。
【００２８】
また、電池１４は各部分に電力を供給する。また、電池交換の時に歩数カウンタ１８及び歩数メモリ１８の内容を保護するためのバックアップ機能を持たせることが望ましい。
【００２９】
ここで、図４を用いて歩数計１の外観、表示器１９における表示内容について説明する。
【００３０】
図４（ａ）及び（ｂ）は、歩数計１の外観図、図４（ｃ）は表示器１９の表示の説明図である。歩数計１は、図４（ａ）に示すように本体１ａと、カバー１ｂとからなり、本体１ａには、上述した歩数計１の主要な機能部が収納されており、上面側に表示器１９、ＳＥＴキー１３ａ、ＵＰキー１３ｂ及びＤＯＷＮキー１３ｃが設けられている。また、図示しないが、本体１ａ下端側には、インターフェイス１５としての接続端子が設けられている。また、カバー１ｂは、本体１ａ上端側のヒンジ部１ｃを支点として開閉自在に設けられ、図４（ａ）に示す開いた状態で、表示器１９の表示の確認や、ＳＥＴキー１３ａ、ＵＰキー１３ｂ及びＤＯＷＮキー１３ｃ等のキー１３の操作が可能であり、図４（ｂ）に示す閉じた状態で、表示器１９、ＳＥＴキー１３ａ、ＵＰキー１３ｂ及びＤＯＷＮキー１３ｃ等を保護する。
【００３１】
また、図４（ｃ）に示すように、表示器１９は、各種設定の内容の表示や歩数の表示などを行う内容表示部１９ａと、歩数計１の状態を表示する記号１９ｂ〜１９ｄとからなり、記号１９ｂは歩数カウント動作時に、記号１９ｃはユーザー登録メール及びデータ登録メールの送信時に、記号１９ｄは各種設定時にそれぞれ点灯する。
【００３２】
また、携帯電話２は、図３に示すように、電話機としての機能を実現すると共にインターネット上のサーバー４とのメールの送受信が可能であり、制御部２１、操作部２２、表示手段としての表示部２３、メモリ２４、時計手段２５、通信部２６、インターフェイス２７、マイク２８及びスピーカ２９を備えて構成される。
【００３３】
インターフェイス２７は、図１に示したケーブル３を介し歩数計１と接続し、外部キー入力機能により歩数計１からの入力を可能とする。外部キー入力機能は、通常、インターフェイス２７とキーボードと接続した際に、キーボードのキー操作によりメール本文章等の入力を容易にするためのもので、インターフェイス２７はそのキーボードとの接続端子である。本実施の形態では、この接続端子に歩数計１を接続し、外部キー入力機能により歩数計１からの入力を可能にしている。
【００３４】
メモリ２４は、電話番号等の各種情報を記憶する。
【００３５】
操作部２２は、テンキー、＊、＃キー及びファンクションキー等を備え、表示部２３はＬＣＤからなる。また、表示部２３に表示される画面に従ってキーを操作し入力することにより、メールを作成や受信したメールの表示をすることができる。その際、通信部２６は中継局と通信を行い、中継局を介してインターネット上のサーバー４にメールを送信したり、中継局を介してサーバー４からのメールを受信する。また、操作部２２からの入力に代えて前述の外部キー入力機能を用いて入力を行なうことにより操作することが可能である。
【００３６】
時計手段２５は、クロック及びカレンダーを備えていて、予め日時や時刻がセットされるとクロック信号及びカレンダーに基づき年月日、曜日及び時刻を示す。
【００３７】
制御部２１は、各部の制御を行なうために図示しないＣＰＵ及びシステムメモリを含んで構成されている。
【００３８】
また、サーバー４は、携帯電話２とインターネットを介してメールの送受信を行なって、後述のデータ登録メールから歩数計１による所定の時間単位毎の歩数や総歩数等を取得し、それらのカウント値に基づいた情報をメールを送信して提供する。また、データ登録メールに付された日時を基準として、受信した複数の所定の時間単位毎の歩数の遡及を行うことによって、カウント開始時刻を算出し、このカウント開始時刻を基にして所定の時間単位毎の時刻を算出し、所定の時間単位毎にカウントされた歩数と算出した時刻を対応付けて集計する集計手段としての機能を有する。更に、サーバー４は、この集計結果に基づいて種々情報を作成するアプリケーションソフト有し、アプリケーションソフトにより作成した種々情報をメールで携帯電話２に送信し提供する機能を有している。
【００３９】
ここで、携帯電話２の有する外部キー入力機能を用いた歩数計１からの入力について説明する。歩数計１からの入力は、通常インターフェイス２７を介して接続されるキーボードのキー操作による信号の如き入力信号により行なう。キー操作による信号の如き入力信号とは、例えば、「１２３４」を入力する場合、キーボードを用いる場合には、キーボードのキーを「１」「２」「３」「４」「エンター」の順で押下し入力するので、その場合の入力信号は、キーボードのキーの「１」「２」「３」「４」「エンター」の各信号と同じ信号をその順序で入力する信号であり、「ＡＢＣＤ」を入力する場合は、キーボードのキーの「Ａ」「Ｂ」「Ｃ」「Ｄ」「エンター」の各信号と同じ信号をその順序で入力する信号である。このようなキーボードのキー操作と同じ入力信号を歩数計１から携帯電話２に入力することで、例えば、メール作成画面への遷移や、メールアドレスの入力、所定の時間単位毎のカウント値や総カウント値などのメール本文として記載を行うことができる。
【００４０】
このような構成により、歩数計１でカウントした歩数を携帯電話２及びインターネットを介してサーバー４に送信し、サーバー４で歩数を集計し、その集計結果に基づいてサーバー４からネットワーク及び携帯電話２を介して集計した歩数に関する情報を入手することが可能となる。以下に処理手順を述べる。
【００４１】
（処理手順）
まず、図５に示すフローチャートを用いて歩数計１での処理手順の概略を説明する。初めに、歩数計１に使用する携帯電話の機種の設定、日時の設定が行われる（初期設定処理：ステップＳ０１、以下省略しＳ０１と記す。他のステップも同様に省略する）。続いて、サーバー４にユーザー登録メールを送信する（ユーザー登録処理：Ｓ０２）が行われる。これらの設定及び登録が終了すると、歩数計１は、歩数のカウントを行う（歩数計測処理：Ｓ０３）。ここで、カウントした歩数をサーバー４に送信する場合には（Ｓ０４、Ｙｅｓ）、所定の時間毎の歩数等が付されたデータ登録メールを携帯電話２を用いてサーバー４に送信する（データ登録処理：Ｓ０５）。また、設定変更を行う場合には（Ｓ０６、Ｙｅｓ）、携帯電話の機種の設定変更、日時の設定変更を行うことができる（設定変更処理：Ｓ０７）。
【００４２】
次に、上述の各処理手順について詳細に説明する。
【００４３】
（初期設定処理、ユーザー登録処理）
図６は、初期設定処理及びユーザー登録処理におけるキー操作と初期設定処理の際の表示及び表示の遷移の様子を示すフローチャートである。まず、携帯電話２とケーブル３で接続すると、使用する携帯電話の機種の設定を行う画面（表示画面Ｈ１０１、以下Ｈ１０１と省略して表示する。他の表示も同様）が表示され、表示される機種をＵＰキー１３ｂまたはＤＯＷＮキー１３ｃでスクロールして使用する機種が表示されたらＳＥＴキーを押下して決定する。ここで表示される機種は、使用可能な携帯電話として予めＲＯＭ２０に記憶されていて、キー操作により順次表示される。また、使用可能な携帯電話を定めているのは、一例を示したにすぎず、特に定めない場合には行わなくてもよいことは言うまでもない。次に「年」の設定を行う画面（Ｈ１０２）が表示され、同じくＵＰキー１３ｂまたはＤＯＷＮキー１３ｃで表示される年をスクロールして現在の年が表示されたらＳＥＴキーを押下して決定する。以下同様に、「月」「日」「時間」「分」を設定し、時計手段１２の日時が設定され、この後、時計手段１２はクロック信号により時間及び日にちを刻み、さらにカレンダーに基づいて日時を表示する。この設定の間、記号１９ｄが点灯し、設定中であることを示す。
【００４４】
次に、登録を行う画面（Ｈ１０７）が表示され、ＳＥＴキー１３ａを押下すると、ユーザー登録メールの作成と送信が行われ、その旨を示す表示（Ｈ１０８）となる。この際、歩数計１は、携帯電話の接続を検出し、接続されている電話をユーザーの電話として電話番号を記憶する。そして、上述の外部キー入力機能により、メール作成画面を表示させるための入力信号、各種記入をするための入力信号及び送信を行うための入力信号等を携帯電話２へ入力することで、メール作成画面を表示させ、ＲＯＭ２０に記憶してあるメールアドレスの記入及び件名の記入を行い、メール本文を記入し、メール送信を行わせる。
【００４５】
ここで、ユーザー登録メールのフォーマットを説明する説明図を図７に示す。メール本文には登録内容として、メール作成日時（ＹＹＹＹ年ＭＭ月ＤＤ日ＨＨ時ＮＮ分）、電話番号（０９０１２３４５６７８）、機種名（Ｐ＊＊＊ｉ）を、一連のデータとして改行しないで「ＹＹＹＹＭＭＤＤＨＨＮＮ０９０１２３４５６７８Ｐ＊＊＊ｉ」と記入している。
【００４６】
また、電話番号、機種名等をメールに付して送信するのは、サーバー４でユーザーの管理や識別等を行うためのものであり、また、管理や識別等はこれに限るものではなく、パスワード等であってもよい。このようにしてユーザー登録メールの送信が終了すると、送信終了を確認する画面（Ｈ１０９）が表示され、ＳＥＴキー１３ａを押下して登録が終了する。また、この登録の間、記号１９ｃが点灯し、メール作成及び送信中であることを示す。
【００４７】
（歩数計測処理）
設定及び登録が終了すると、歩数計１は、歩数のカウントを開始する。この時、歩数計１は、衣服またはベルト等に装着されている。図８に示す歩数計測処理フローチャートを用いて歩数計１における処理手順について説明する。まず、設定日時を設定する（Ｓ１０）。例えば、本実施の形態では、所定の時間を１時間とし、１時間毎の歩数をカウントするものとすれば、まず時計手段を参照してその時刻の５９分５９秒と設定する。例えば、現在時刻が「２００３年１月１日１１時１５分」であれば、設定日時は「２００３年１月１日１１時５９分５９秒」とする。ここで、単に１時間後を設定日時としてもよいが、本例では集計しやすい様に時刻の区切りとした。リセットが行われなければ（Ｓ１１、Ｎｏ）、その時刻が予め設定された設定日時まで（Ｓ１２、Ｎｏ）、歩行検出センサ１６が振動を検出し信号を発すると（Ｓ１３）、歩数カウンタ１７はその信号を受けてカウント値に「＋１」をして（Ｓ１４）歩数をカウントし、これを繰り返して歩数を累積してカウントする。
【００４８】
次に、設定日時に達すると（Ｓ１２、Ｙｅｓ）、歩数カウンタ１７のカウント値は歩数メモリ１８に転送され、歩数メモリ１８の所定のアドレスに記憶されて歩数カウンタ１７のカウント値はリセットされ（Ｓ１５）、次の設定日時が設定され（Ｓ１０）（この場合、「１２時５９分５９秒」）歩数カウンタ１７は歩行検出センサ１６の信号及びクロック信号を「０」からカウントを開始する。
【００４９】
また、歩数メモリ１８では、図９に示すメモリ構成図のように例えばアドレス０には歩数カウンタ１７から転送されるカウント値（歩数）を全て累積した総カウント値である総歩数を記憶し、アドレス１以降に１時間毎のカウント値（歩数）が、アドレス順の番号順に記憶されるようになっている。また、全てのアドレスが埋まった場合には、一番古いカウント値（歩数）が記憶されたアドレスに書き換えて記憶するようになっている。このようにして、１時間毎つまり所定の時間単位毎に歩数をカウントすることが可能である。
【００５０】
また、これら歩数カウンタ１７及び歩数メモリ１８のカウント値は、キー１３の操作（例えば２つのキーを組み合わせて押下する等）によりリセットされた場合には（Ｓ１１）、歩数カウンタ１７のカウント値、クロック信号の計数値及び歩数メモリ１８中の歩数は、リセットされるようになっている（Ｓ１６）。
【００５１】
このようにカウントされた歩数は、図１０に示す歩数計数処理の際の表示及び表示の遷移の様子を示すフローチャートに基づき表示される。まず、通常「ロゴ表示」がされているが、ＳＥＴキー１３ａ及びＵＰキー１３ｂでＨ２０１からＨ２０９の表示を切り換えて行う。例えば、表示内容として、ホスウ画面（Ｈ２０２）には、総カウント値が表示され、以下、日毎に「今日」「一日前」・・・等が表示される。この設定の間、記号１９ｂが点灯し、歩数カウント中であることを示す。また、「ＴＯ」はタイムアウトを示し、例えば５秒の間操作されなかった場合に遷移する。
【００５２】
（データ登録処理）
次に、サーバー４に歩数の送信を行うデータ登録処理について説明する。図１１は、データ登録処理の際の表示及び表示の遷移の様子を示すフローチャートである。まず、データ登録画面（Ｈ３０１）は、ホスウ画面（Ｈ２０２）でＤＯＷＮキーを押下することで表示される。ここで、ＳＥＴキー１３ａを押下すると、データ登録メールの作成と送信が行われ、その旨を示す表示（Ｈ３０２）となる。この際、上述の外部キー入力機能により、メール作成画面を表示させるための入力信号、各種記入をするための入力信号及び送信を行うための入力信号等を携帯電話２へ入力することで、メール作成画面を表示させて、ＲＯＭ２０に記憶してあるメールアドレスの記入及び件名の記入を行い、メール本文を記入し、メール送信を行わせる。
【００５３】
ここで、データ登録メールのフォーマット（所定のフォーマット）を説明する説明図を図１２に示す。メール本文には登録内容として、メール作成日時（ＹＹＹＹ年ＭＭ月ＤＤ日ＨＨ時ＮＮ分）、電話番号（０９０１２３４５６７８）、レコード番号（１２３４）、総カウント値（９９９９９９９９）、区間カウント（４日前）（１２３４１２３４１２３４・・・１２３４）、区間カウント（３日前）（１２３４１２３４１２３４・・・１２３４）、区間カウント（２日前）（１２３４１２３４１２３４・・・１２３４）、区間カウント（１日前）（１２３４１２３４１２３４・・・１２３４）、区間カウント（本日）（１２３４１２３４１２３４・・・１２３４）をそれぞれ改行して記入している。ここで、レコード番号とは、リセット時からのデータ登録メール通し番号で示すものであり、総カウント値とは、リセット時からの総カウント値を８桁出力で示すものつまり総歩数であり、区間カウントとは、歩数メモリ１８に記憶された各所定の時間単位毎の歩数を古い順に４桁でもって日毎記入してあり、例えば本例では、１時間毎の歩数（１２３４の４桁）を２４個集めて１日分として一連のデータ列として改行しないで記入してある。また、例えば、メール作成日時が、「２００３年１月１０日１３時１５分」であれば、１３時台のカウント値は未だ歩数メモリ１８には記憶されていないので、最も新しい１時間の歩数は、２００３年１月１０日１２時００分００秒から１２時５９分５９秒の間にカウントものである。つまり、メール作成日時から遡って本日分の区間カウント、１日前の区間カウント・・・４日前の区間カウントを抽出し、古い順に一日ごとに改行して記入してある。このようにしてデータ登録メールの送信が終了すると、送信終了を確認する画面（Ｈ３０３）が表示され、ＳＥＴキー１３ａを押下してデータの登録が終了する。また、この登録の間、記号１９ｃが点灯し、メール作成及び送信中であることを示す。このようにして、所定の時間単位（本例では、１時間単位）の歩数をサーバー４に送信する。
【００５４】
（設定変更処理）
次に、設定変更処理について説明する。図１３は、設定変更処理の際の表示及び表示の遷移の様子を示すフローチャートである。まず、設定変更画面（Ｈ４０１）は、（データ登録画面（Ｈ３０１）でＤＯＷＮキーを押下することで表示され、ＳＥＴキー１３ａの押下により、まず機種設定を変更するための画面（Ｈ４０２）へと遷移するが、以下、（初期設定処理、ユーザー登録処理）と場合とほぼ同様に、ＳＥＴキー、ＵＰキー１３ｂまたはＤＯＷＮキー１３ｃを用いて各種設定の変更やユーザー登録を行う。
【００５５】
次に、図１４を用いてサーバー４における処理手順の概略について説明する。まず、データ登録メールを受信すると（Ｓ２１）、ユーザーの認証を行う（Ｓ２２）。次に、メールに付されたメール作成日時に基づいて所定の時間単位毎の歩数についての日時を算出して集計する（Ｓ２３）。その集計結果に基づき情報を作成し（Ｓ３０７）、その情報をメールに付して携帯電話２に送信する（Ｓ３０８）。
【００５６】
詳細には、ユーザーの認証は、既に登録されているユーザー登録メールに付された電話番号等と、受信したデータ登録メールに付された電話番号等を比較するなどして行うことができる。この時、未登録であった場合など、その旨または登録を促すメールを送信するような処理を行うことも可能である。
【００５７】
所定の時間単位毎の歩数についての日時の算出は、本例のデータ登録メールを用いて説明すると、メール作成日時を「２００３年１月１０日１３時１５分」とすると、４日前は、「２００３年１月６日」であり、古い順に並べて記載されているので、初めの歩数「１２３４」が「２００３年１月６日０時００分００秒から０時５９分５９秒」となり、次の歩数「１２３４」が「２００３年１月６日１時００分００秒から１時５９分５９秒」となり、順次日時を対応付けることができる。同様に３日前は「２００３年１月７日」となり、やはり同様に順次日時を対応付けることができる。このように対応付けを行い、過去に集計された歩数に追加して集計する。この時、日時の重なる歩数が既に集計されていれば、既にある歩数をそのままにし、新しい歩数は破棄する。尚、新しい歩数に置き換えてもよい。このようにして、それぞれに日時を対応付けて集計することができる。また、上述の説明は、古いものから順次日時を対応させるようにしたが、新しいものから順に日時を対応させるようにしても良い。この場合、最も新しい歩数は、「２００３年１月１０日１２時００分００秒から１２時５９分５９秒」ということになる。
【００５８】
また、本例では、１時間毎の歩数を１日単位に分けたものを例に示したが、例えば、この歩数を単に日にちを区切らずに古い順に並べたものであれば、メール作成日時と区間データの個数から最も古い歩数の日時を対応させ、古いものから順次日時を対応させることができる。この場合も、新しいものから順に日時を対応させるようにしても良い。
【００５９】
また、基準となる日時をメール送信日時としてもよいが、この場合には、例えばメール作成時刻が１２時５９分であったにも関わらず、送信時間が１３時００分と時刻がずれてしまう場合があり、集計がずれてしまう恐れがある。従って、メール作成時間とすることは、集計のずれを無くすことができる。
【００６０】
また、データ登録メール作成時に歩数計１により日時を対応させるように遡及を行い、時刻をデータ登録メールに歩数と共に併記することや、予め歩数メモリ１８に記憶される歩数に日時を対応付けて（この場合には設定時刻）記憶しておき歩数と日時をデータ登録メールに併記しても良い。
【００６１】
このように所定の時間単位の歩数と日時を対応させて集計した集計結果に基づいて情報を作成するアプリケーションソフトをサーバー４に用意することにより、例えば、１例として歩数と消費カロリーの関係から求められる「総消費カロリーや各時間毎の消費カロリー」というような情報を提供することができる。また、他の１例として、夜中に運動していたのか、昼休みに運動していたのか、等の行動パターンに基づき運動時間等についてアドバイスを行なう「ライフスタイルチェック」も可能であり、さらにその行動パターンから朝、昼、夕食のお勧めメニューなどのアドバイスをするような情報を提供できる。
【００６２】
また、提供する情報に飽きを生じた場合には、アプリケーションソフトの追加または変更によりサーバーの提供する情報を追加または変更することで可能であり、歩数計の買い換えなどの必要が無い。また、種々情報の中から所望の情報を選択できるようにすれば、歩数計の趣向性を向上することができる。
【００６３】
また、上述の説明では、通信機器として携帯電話を用いて説明したが、通信機器としては、歩数計からの入力を可能とする機能またはアプリケーションソフトを有するパーソナルコンピュータであっても良い。
【００６４】
また、作成したデータ登録メールを即送信せずに、メモリ２４等に一時保存しておき、その後、送信するようにしても良い。その場合でも、データ登録メールにはメール作成日時が付されているため集計時に対応させる日時がずれることはない。また、何らかの理由により送信エラーとなった場合にも再送信を行うようにしても、データ登録メールにはメール作成日時が付されているため集計時に対応させる日時がずれることはない。
【００６５】
【発明の効果】
以上説明したように本発明によれば、通信機器を用いて、歩数計の歩数情報をネットワークを介してサーバーへ送信可能であり、さらにサーバーにおいてその歩数と日時対応させて集計することができる。そしてその集計結果とサーバーに用意したアプリケーションソフトにより種々情報の提供が可能となる。また、提供可能な情報を追加或いは変更することで飽きのこない情報の提供が可能となる。
【００６６】
従って、使用者がその歩数を確認し日常の適正な運動を確保することへの意識を喚起し、使用者の健康増進を図ることができる。
【図面の簡単な説明】
【図１】本発明にかかる歩数計数システムの１実施の形態を示す構成図である。
【図２】本実施の形態における歩数計の構成の１例を示すブロック図である。
【図３】本実施の形態における携帯電話の構成の１例を示すブロック図である。
【図４】（ａ）、（ｂ）は、本実施の形態における歩数計の外観図であり、（ｃ）は、歩数計の表示器の表示を説明するための説明図である。
【図５】実施の形態に係る歩数計の処理手順の１例を示すフローチャートである。
【図６】実施の形態に係る歩数計の操作と表示の遷移の様子を示すフローチャートである。
【図７】ユーザー登録メールのフォーマットを説明する説明図である。
【図８】本実施の形態に係る歩数計の歩数カウント手順の１例を示すフローチャートである。
【図９】メモリ内のアドレスとカウント値（歩数）の構成の１例を説明するための説明図である。
【図１０】実施の形態に係る歩数計の操作と表示の遷移の様子を示すフローチャートである。
【図１１】実施の形態に係る歩数計の操作と表示の遷移の様子を示すフローチャートである。
【図１２】データ登録メールのフォーマットを説明する説明図である。
【図１３】実施の形態に係る歩数計の操作と表示の遷移の様子を示すフローチャートである。
【図１４】本実施の形態に係るサーバーの処理手順の１例を示すフローチャートである。
【符号の説明】
１  歩数計
１１  ＣＰＵ
１２  時計手段
１３  キー
１４  電池
１５  インターフェイス
１６  歩行検出センサ
１７  歩数カウンタ
１８  歩数メモリ
１９  表示器
２０  ＲＯＭ
２  携帯電話
２１  制御部
２２  操作部
２３  表示部
２４  メモリ
２５  時計手段
２６  通信部
２７  インターフェイス
２８  マイク
２９  スピーカ
３  ケーブル
４  サーバー
【図１】
2004226076.tif 000003
【図２】
2004226076.tif 000004
【図３】
2004226076.tif 000005
【図４】
2004226076.tif 000006
【図５】
2004226076.tif 000007
【図６】
2004226076.tif 000008
【図７】
2004226076.tif 000009
【図８】
2004226076.tif 000010
【図９】
2004226076.tif 000011
【図１０】
2004226076.tif 000012
【図１１】
2004226076.tif 000013
【図１２】
2004226076.tif 000014
【図１３】
2004226076.tif 000015
【図１４】
2004226076.tif 000016